【手続補正書】
【提出日】平成26年11月10日(2014.11.10)
【手続補正１】
【補正対象書類名】特許請求の範囲
【補正対象項目名】全文
【補正方法】変更
【補正の内容】
【特許請求の範囲】
【請求項１】
電子デバイスにおけるハードウェア構成変更を検出することであって、前記電子デバイスは少なくとも、第１のディスプレイ面を有する第１のパネルと第２のディスプレイ面を有する第２のパネルとを含み、前記第１のディスプレイ面と前記第２のディスプレイ面とを含む閲覧エリアに対応する有効画面サイズまたは画面解像度は前記ハードウェア構成変更に応じて修正され、前記ハードウェア構成変更を検出することは前記第１のパネルおよび前記第２のパネルに対する重力の大きさと方向を用いる加速度データの少なくとも一部に基づいている、ことと、
前記ハードウェア構成変更に応答して、前記修正された有効画面サイズあるいは前記修正された画面解像度に関連付けられた又は基づいた少なくとも１つのパラメータをサーバに送信することと、
を備えた方法。
【請求項２】
前記サーバは、ウェブサーバであり、
前記少なくとも１つのパラメータは、ブラウザ設定を示し、
前記ブラウザ設定に従って、前記ハードウェア構成変更に基づいてブラウザインターフェースを自動的に修正することと、
前記ウェブサーバから、前記ブラウザ設定に基づいて表示されるようにフォーマットされた修正されたコンテンツを受信することと、
前記修正されたブラウザインターフェースに前記修正されたコンテンツを表示することと、
をさらに備える、請求項１に記載の方法。
【請求項３】
前記ハードウェア構成変更はユーザ入力に基づいて検出され、前記電子デバイスは、前記少なくとも１つのパラメータを送信することと、前記ブラウザインターフェースを自動的に修正することと、追加のユーザ入力を受信することなしに前記修正されたコンテンツを表示することとを行うように構成された、請求項２に記載の方法。
【請求項４】
前記ブラウザインターフェースはモバイルブラウザインターフェースであり、前記修正されたブラウザインターフェースは非モバイルブラウザインターフェースであり、前記モバイルブラウザインターフェースは、前記非モバイルブラウザインターフェースに対して低減されたコンテンツを備える、請求項２に記載の方法。
【請求項５】
前記ブラウザインターフェースは非モバイルブラウザインターフェースであり、前記修正されたブラウザインターフェースはモバイルブラウザインターフェースであり、前記モバイルブラウザインターフェースは、前記非モバイルブラウザインターフェースに対して低減されたコンテンツを備える、請求項２に記載の方法。
【請求項６】
前記ハードウェア構成変更は、前記第２のパネルに対する前記第１のパネルの相対配向の変更を含み、前記第１のパネルはヒンジを介して前記第２のパネルに結合されている、請求項１に記載の方法。
【請求項７】
前記第２のパネルに対する前記第１のパネルの前記相対配向の前記変更は、前記第１のディスプレイ面と前記第２のディスプレイ面との間の角度の増加を含む、請求項６に記載の方法。
【請求項８】
前記第２のパネルに対する前記第１のパネルの前記相対配向の前記変更は、前記第１のディスプレイ面と前記第２のディスプレイ面との間の角度の減少を含む、請求項６に記載の方法。
【請求項９】
第３のパネルは第２のヒンジを介して前記第２のパネルに結合され、前記ハードウェア構成変更は、前記第２のパネルに対する前記第３のパネルの相対配向の変更をさらに含む、請求項１に記載の方法。
【請求項１０】
第１のディスプレイ面を有する第１のパネルと、
第２のディスプレイ面を有する第２のパネルと、
プロセッサと、
を備える電子デバイスであって、
前記プロセッサは、
前記電子デバイスにおけるハードウェア構成変更を検出することであって、前記第１のパネルおよび前記第２のパネルに対する重力の大きさと方向を用いる加速度データの少なくとも一部に基づいている、ことと、
前記ハードウェア構成変更に応答して、前記第１のディスプレイ面と前記第２のディスプレイ面とを含む閲覧エリアに対応する有効画面サイズまたは画面解像度を修正することと、
前記ハードウェア構成変更に応答して、前記修正された有効画面サイズまたは前記修正された画面解像度に関連付けられた、あるいはそれに基づく少なくとも１つのパラメータをサーバに送信することと、
を行うように構成された、電子デバイス。
【請求項１１】
前記サーバはウェブサーバであり、
前記少なくとも１つのパラメータは、ブラウザ設定を示し、
前記プロセッサは、
前記ブラウザ設定に従って、前記ハードウェア構成変更に基づいてブラウザインターフェースを自動的に修正することと、
前記ウェブサーバから、前記ブラウザ設定に基づいて表示されるようにフォーマットされた修正されたコンテンツを受信することと、
前記修正されたブラウザインターフェースに前記修正されたコンテンツを表示することと、
を行うようにさらに構成された、請求項１０に記載の電子デバイス。
【請求項１２】
前記ハードウェア構成変更はユーザ入力に基づいて検出され、前記プロセッサは、前記少なくとも１つのパラメータを送信することと、前記ブラウザインターフェースを自動的に修正することと、追加のユーザ入力を受信することなしに前記修正されたコンテンツを表示することとを行うようにさらに構成された、請求項１１に記載の電子デバイス。
【請求項１３】
前記第１のパネルは、ヒンジを介して前記第２のパネルに結合されている、請求項１１に記載の電子デバイス。
【請求項１４】
第２のヒンジを介して前記第２のパネルに結合された第３のパネルをさらに備え、前記ハードウェア構成変更は、前記第２のパネルに対する前記第３のパネルの相対配向の変更をさらに含む、請求項１０に記載の電子デバイス。
【請求項１５】
前記ハードウェア構成変更は、第１のハードウェア構成から第２のハードウェア構成への変更を含み、前記第１のハードウェア構成および前記第２のハードウェア構成はそれぞれ、完全折り畳み構成、完全展開構成、サミング構成、トラベルクロック構成、およびビデオ会議構成からなる群から選択される、請求項１０に記載の電子デバイス。
【請求項１６】
加速度計をさらに備え、前記ハードウェア構成変更は前記加速度計の出力に基づいて検出される、請求項１０に記載の電子デバイス。
【請求項１７】
インクリノメータをさらに備え、前記ハードウェア構成変更は前記インクリノメータの出力に基づいて検出される、請求項１０に記載の電子デバイス。
【請求項１８】
少なくとも、第１のディスプレイ面を有する第１のパネルと第２のディスプレイ面を有する第２のパネルとを含む電子デバイスにおけるハードウェア構成変更を検出するための手段であって、前記第１のディスプレイ面と前記第２のディスプレイ面とを含む閲覧エリアに対応する有効画面サイズまたは画面解像度が修正され、前記ハードウェア構成変更を検出することは前記第１のパネルおよび前記第２のパネルに対する重力の大きさと方向を用いる加速度データの少なくとも一部に基づいている、手段と、
前記ハードウェア構成変更に応答して、前記修正された有効画面サイズあるいは前記修正された画面解像度に関連付けられた又は基づいた少なくとも１つのパラメータをサーバに送信するための手段と、
を備えた装置。
【請求項１９】
前記サーバはウェブサーバであり、
前記少なくとも１つのパラメータは、ブラウザ設定を示し、
前記ブラウザ設定に従って、前記ハードウェア構成変更に基づいてブラウザインターフェースを自動的に修正するための手段と、
前記ウェブサーバから、前記ブラウザ設定に基づいて表示されるようにフォーマットされた修正されたコンテンツを受信するための手段と、
前記修正されたブラウザインターフェースに前記修正されたコンテンツを表示するための手段と、
をさらに備える、請求項１８に記載の装置。
【請求項２０】
前記ハードウェア構成変更はユーザ入力に基づいて検出され、送信するための前記手段と、自動的に修正するための前記手段と、表示するための前記手段とが、それぞれ追加のユーザ入力を受信することなしに動作するように構成された、請求項１８に記載の装置。
【請求項２１】
前記第１のパネルは、ヒンジを介して前記第２のパネルに結合されている、請求項１８に記載の装置。
【請求項２２】
第３のパネルは第２のヒンジを介して前記第２のパネルに結合され、前記ハードウェア構成変更は、前記第２のパネルに対する前記第３のパネルの相対配向の変更をさらに含む、請求項１８に記載の装置。
【請求項２３】
電子デバイスにおけるハードウェア構成変更を検出するためのコードであって、前記電子デバイスは少なくとも、第１のディスプレイ面を有する第１のパネルと第２のディスプレイ面を有する第２のパネルとを含み、前記第１のディスプレイ面と前記第２のディスプレイ面とを含む閲覧エリアに対応する有効画面サイズまたは画面解像度は前記ハードウェア構成変更に応じて修正され、前記ハードウェア構成変更を検出することは前記第１のパネルおよび前記第２のパネルに対する重力の大きさと方向を用いる加速度データの少なくとも一部に基づいている、コードと、
前記ハードウェア構成変更に応答して、前記修正された有効画面サイズあるいは前記修正された画面解像度に関連付けられた又は基づいた少なくとも１つのパラメータをサーバに送信するためのコードと、
を備えたコンピュータ実行可能なコードを記憶した非一時的コンピュータ可読媒体。
【請求項２４】
前記サーバはウェブサーバであり、
前記少なくとも１つのパラメータは、ブラウザ設定を示し、
前記ブラウザ設定に従って前記ハードウェア構成変更に基づいてブラウザインターフェースを自動的に修正するためのコードと、
前記ウェブサーバから、前記ブラウザ設定に基づいて表示されるようにフォーマットされた修正されたコンテンツを受信するためのコードと、
前記修正されたブラウザインターフェースに前記修正されたコンテンツを表示するためのコードと、
を備えるコンピュータ実行可能なコードをさらに記憶している、請求項２３に記載のコンピュータ可読媒体。
【請求項２５】
ウェブページの第１のバージョンをウェブサーバからマルチパネル電子デバイスに送信することと、
前記マルチパネル電子デバイスからブラウザ設定を受信することであって、前記ブラウザ設定は前記マルチパネル電子デバイスの有効画面サイズまたは有効画面解像度の変更を示し、前記マルチパネル電子デバイスの有効画面サイズの前記変更は第１のパネルおよび第２のパネルに対する重力の大きさと方向を用いる加速度データの変化の結果として生じる、ことと、
前記ブラウザ設定に基づいてウェブページの第２のバージョンを発生することと、
前記ウェブページの前記第２のバージョンを前記ウェブサーバから前記マルチパネル電子デバイスに送信することと、
を備える方法。
【請求項２６】
前記ウェブページの前記第１のバージョンは前記ウェブページのモバイルバージョンであり、前記ウェブページの前記第２のバージョンは前記ウェブページの非モバイルバージョンであり、前記ウェブページの前記モバイルバージョンは、前記ウェブページの前記非モバイルバージョンに対して低減されたコンテンツを備える、請求項２５に記載の方法。
【請求項２７】
前記ウェブページの前記第１のバージョンは前記ウェブページの非モバイルバージョンであり、前記ウェブページの前記第２のバージョンは前記ウェブページのモバイルバージョンであり、前記ウェブページの前記モバイルバージョンは、前記ウェブページの前記非モバイルバージョンに対して低減されたコンテンツを備える、請求項２５に記載の方法。